(57)【特許請求の範囲】
【請求項１】
同心上に順次上方へ重ねられ、中心において枢ピンで相対回転自在に枢支された第１乃至第４の四枚の円盤を具備し、
前記第１の円盤の周縁部には、円周方向に所定数等角度に区分され、円周方向の一方向に大きくなる０からの連続番号が付された所定数の分母表示区画が設けられ、
前記第２の円盤は、前記第１の円盤を覆い隠す大きさで、周縁部には、前記分母積表示区画の１つを択一的に露出させる切欠を有し、
前記第３の円盤は、前記分母積表示区画を露出させることができるように前記第１の円盤より小径で、周縁部には、前記分母積表示区画と同様に円周方向に所定数等角度に区分され、同方向に大きくなる同一の連続番号が付された所定数の第１分子積表示区画が設けられ、
前記第４の円盤は、前記第１分子積表示区画を露出させることができるように前記第３の円盤より小径で、周縁部には、前記第１分子積表示区画と同様に円周方向に所定数等角度に区分され、同方向に大きくなる同一の連続番号が付された所定数の第２分子積表示区画が設けられると共に、これより中心側に、前記第２分子積表示区画と同様に円周方向に所定数等角度に区分され、反対円周方向に大きくなる同一の連続番号が付された所定数の第３分子積表示区画が設けられ、
２つの分数の差を計算するときには、別に求めた両辺の分母の積の値を示す分母積表示区画の番号に切欠を合わせてこれを露出させ、別に求めた左辺分子と右辺分母の積の値を示す第１分子積表示区画の番号の位置に、別に求めた左辺分母と右辺分子の積の値を示す第２分子積表示区画の番号を合わせると、第２分子積表示区画の「０」の位置に対応する第１分子積表示区画に解答分子の値が表示され、
２つの分数の和を計算するときには、別に求めた両辺の分母の積の値を示す分母積表示区画の番号に切欠を合わせてこれを露出させ、別に求めた左辺分子と右辺分母の積の値を示す第１分子積表示区画の番号の位置に、別に求めた左辺分母と右辺分子の積の値を示す第３分子積表示区画の番号を合わせると、第３分子積表示区画の「０」の位置に対応する第１分子積表示区画に分子の値が表示されることを特徴とする分数計算器。
【請求項２】
前記第４の円盤の上には、基端側において前記枢ピンによって回転自在に枢支され、先端が前記第１分子積表示区画付近に至る指針を備え、
分数の加減算操作のときに、指針を第２又は第３分子積表示区画の「０」の位置に合わせると、前記指針が解答分子の値を第１分子積表示区画上に指し示すことを特徴とする請求項１に記載の分数計算器。
【発明の詳細な説明】
【０００１】
【発明の属する技術分野】
本発明は、分数の加減計算を行うための簡易型の計算器に関し、児童の分数計算の教育器具になるものである。
【０００２】
【従来の技術】
従来、分数の加減計算を専用に行うための特別な器具はなく、また分数計算教育用のこの種の器具もなかった。
【０００３】
【発明が解決しようとする課題】
そこで、本発明は、分数の加減計算を簡易に行うことができ、また分数計算の方法を児童にわかりやすく教育する補助となる簡単な構成の分数計算器を提供することを課題としている。
【０００４】
【課題を解決するための手段】
上記課題を解決するため、第１の発明においては、第１乃至第４の四枚の円盤１，２，３，４を同心上に順次上方へ重ねられ、中心において枢ピン６で相対回転自在に枢支する。第１の円盤１の周縁部に、円周方向に所定数等角度に区分し、円周方向の一方向に大きくなる０からの連続番号を付した所定数の分母表示区画１ａを設ける。第２の円盤２は、第１の円盤１を覆い隠す大きさで、その周縁部に、分母積表示区画１ａの１つを択一的に露出させる切欠２ａを設ける。第３の円盤３は、分母積表示区画１ａを露出させることができるように第１の円盤より小径で、その周縁部に、分母積表示区画１ａと同様に円周方向に所定数等角度に区分し、円周方向の一側方向に大きくなる同一の連続番号を付した所定数の第１分子積表示区画３ａを設ける。第４の円盤４は、第１分子積表示区画３ａを露出させることができるように第３の円盤３より小径で、その周縁部に、第１分子積表示区画３ａと同様に円周方向に所定数等角度に区分し、円周方向の一方向に大きくなる同一の連続番号を付した所定数の第２分子積表示区画４ａを設けると共に、これより中心側に、第２分子積表示区画４ａと同様に円周方向に所定数等角度に区分し、反対円周方向に大きくなる同一の連続番号を付した所定数の第３分子積表示区画４ｂを設ける。そして、２つの分数の差を計算するときには、別に求めた両辺の分母の積の値を示す分母積表示区画１ａの番号に切欠２ａを合わせてこれを露出させ、別に求めた左辺分子と右辺分母の積の値を示す第１分子積表示区画３ａの番号の位置に、別に求めた左辺分母と右辺分子の積の値を示す第２分子積表示区画４ａの番号を合わせれば、第２分子積表示区画４ａの「０」の位置に対応する第１分子積表示区画３ａに解答分子の値があらわれる。２つの分数の和を計算するときには、別に求めた両辺の分母の積の値を示す分母積表示区画１ａの番号に切欠２ａを合わせてこれを露出させ、別に求めた左辺分子と右辺分母の積の値を示す第１分子積表示区画３ａの番号の位置に、別に求めた左辺分母と右辺分子の積の値を示す第３分子積表示区画４ｂの番号を合わせれば、第３分子積表示区画４ｂの「０」の位置に対応する第１分子積表示区画３ａに解答分子の値があらわれる。
【０００５】
第２の発明においては、第４の円盤４の上に、基端側を枢ピン６によって回転自在に枢支し、先端を第３の円盤の周縁部付近に至る指針５を設けた。そして分数の加減算操作をするときに、指針５を第３又は第２分子積表示区画４ｂ，４ａの「０」の位置に合わせると、解答分子の値が指針５で第１分子積表示区画３ａに指し示される。
【０００６】
【発明の実施の形態】
本発明の実施の一形態を図面を参照して説明する。
図１及び図２において、この分数計算器は、同心上に順次上方へ重ねられ、中心において枢ピン６で相対回転自在に枢支された第１から第４の四枚の円盤１，２，３，４と、第４の円盤の上に重なって基端側において枢ピン６によって回転自在に枢支された指針５とを備えている。
【０００７】
第１円盤１の周縁部は、円周方向に１００等分に区分けされた分母表示区画１ａが設けられている。この分母表示区画１ａには「００」から時計回りに「９９」までの連続番号が付されている。第１円盤１の周縁部の一部には操作用の摘み片１ｂが半径方向に張り出すように設けられている。
第２円盤２は、第１円盤１を覆い隠す大きさで、周縁部に分母積表示区画１ａの一つを択一的に露出させるように対応する形状の切欠２ａを有する。第２円盤２の周縁部の一部には操作用の摘み片２ｂが半径方向に張り出すように設けられている。
第３円盤３は、分母積表示区画１ａを露出させることができるように第１円盤１より小径である。第３円盤３の周縁部には、分母積表示区画１ａと同様に円周方向に１００等分に区分けされた第１分子積表示区画３ａが設けられている。この第１分子積表示区画３ａには、「００」から時計回りに「９９」までの連続番号が付されている。
第４円盤４は、第１分子積表示区画３ａを露出させることができるように第３円盤３より小径である。第４円盤４の周縁部には、第１分子積表示区画３ａと同様に円周方向に１００等分に区分けされ、「００」から時計回りに「９９」までの連続番号が付された第２分子積表示区画４ａが設けられている。また、第４円盤４の周縁部における第２分子積表示区画４ａより中心側には、第２分子積表示区画４ａと同様に円周方向に１００等分に区分けされ、「００」から反時計回りに「９９」までの連続番号が付された第３分子積表示区画４ｂが設けられている。第３分子積表示区画４ｂの「００」の位置と第２分子積表示区画４ａの「００」の位置とは一致している。
指針５の先端は第４円盤４の第１分子積表示区画３ａに達する。
【０００８】
この分数計算器により２つの分数の差（例えば４／７−３／１０）を計算するときには、図３に示すように、先ず指針５を第２分子積表示区画４ａの番号「００」の位置に合わせ、Ｃ／Ａ−Ｄ／Ｂ＝（Ｃ・Ｂ−Ｄ・Ａ）／Ａ・Ｂだから、両辺の分母の積（Ａ・Ｂ）を暗算で求め、その値を示す分母積表示区画１ａの番号「７０」に切欠２ａを合わせてこれを表示させる。そして、左辺分子と右辺分母の積（Ｃ・Ｂ）を暗算で求めてその値を示す第１分子積表示区画３ａの番号「４０」の位置に、左辺分母と右辺分子の積（Ｄ・Ａ）を暗算で求めてその値を示す第２分子積表示区画４ａの番号「２１」を合わせる。このときの指針５が示す第１分子積表示区画３ａの番号「１９」が解答の分子（Ｃ・Ｂ−Ｄ・Ａ）の値になり、先の分母積表示区画１ａの番号「７０」が解答の分母（Ａ・Ｂ）の値であるから、解答（Ｃ・Ｂ−Ｄ・Ａ）／Ａ・Ｂに対応する「１９／７０」が導き出される。
【０００９】
２つの分数の和（例えば３／５＋２／９）を計算するときには、図４に示すように、先と同様に先ず指針５を第３分子積表示区画４ｂの番号「００」の位置に合わせ、Ｃ／Ａ＋Ｄ／Ｂ＝（Ｃ・Ｂ＋Ｄ・Ａ）／Ａ・Ｂだから、両辺の分母の積（Ａ・Ｂ）を暗算で求め、その値を示す分母積表示区画１ａの番号「４５」に切欠２ａを合わせてこれを表示させる。そして、左辺分子と右辺分母の積（Ｃ・Ｂ）を暗算で求めてその値を示す第１分子積表示区画３ａの番号「２７」の位置に、左辺分母と右辺分子の積（Ｄ・Ａ）を暗算で求めてその値を示す第３分子積表示区画４ｂの番号「１０」を合わせる。このときの指針５が示す第１分子積表示区画３ａの番号「３７」が解答の分子（Ｃ・Ｂ＋Ｄ・Ａ）の値になり、先の分母積表示区画１ａの番号「４５」が解答の分母（Ａ・Ｂ）の値であるから、解答（Ｃ・Ｂ＋Ｄ・Ａ）／Ａ・Ｂに対応する「３７／４５」が導き出される。
【００１０】
なお、上記実施形態では、第３分子積表示区画４ｂを第２分子積表示区画４ａと共に第４円盤４に表示したが、第２分子積表示区画４ａを露出させることができるように第４円盤３より小径の第５の円盤を別途設けてその周縁部に表示してもよい。また、指針５を設けないで、計算操作の段階で第２分子積表示区画４ａ又は第３分子積表示区画４ｂの番号「００」の位置にある第１分子積表示区画３ａの番号を読むようにしてもよい。分母表示区画１ａ、第１，第２，第３分子表示区画３ａ，４ａ，４ｂの番号の順番は上記と相対的に逆方向でもよく、また区画数に応じて扱える数字を増減できる。
【００１１】
【発明の効果】
以上のように、本発明は、分数の加減計算を簡易に行うことができ、また分数計算の方法を児童にわかりやすく教育するための補助とすることができ、しかも極めて簡単に構成できるという効果を有する。
【図面の簡単な説明】
【図１】本発明に係る分数計算器の平面図である。
【図２】分数計算器の分解斜視図である。
【図３】分数計算器の使用状態の一部拡大平面図である。
【図４】分数計算器の他の使用状態の一部拡大平面図である。
【符号の説明】
１    第１円盤
１ａ  分母表示区画
２    第２円盤
２ａ  切欠
３    第３円盤
３ａ  第１分子積表示区画
４    第４円盤
４ａ  第２分子積表示区画
４ｂ  第３分子積表示区画
５    指針
６    枢ピン
【図１】
0003843283.tif 000002
【図２】
0003843283.tif 000003
【図３】
0003843283.tif 000004
【図４】
0003843283.tif 000005